(57)【要約】【課題】  入賞図柄以外の図柄の配置位置や個数が制限されることがなく、目押し操作が行い易い回胴式遊技機を実現する。【解決手段】  各リールの外周面の上方には、補助図柄表示体３０が配置されており、補助図柄表示体３０には、リールの外周面に表示された特定の図柄Ｚ１と同じ図柄の補助図柄Ｚ２が表示されている。リールの停止時では、補助図柄表示体３０はリールの特定の図柄Ｚ１を覆っており、リールが回転を開始すると、自身の慣性力により、リールの回転方向と逆方向へ移動し、特定の図柄Ｚ１に隣接する図柄を覆う。これにより、リールの回転中はリールの外周面に特定の図柄Ｚ１が連続して表示されるため、目押し操作を行い易くなる。また、リールが停止すると補助図柄表示体は自重により移動前の位置に復帰し、回転中に隠れていた図柄が露出するため、入賞図柄以外の図柄の配置位置や個数が制限されない。【選択図】  図２
2007105239.tif 000002
【特許請求の範囲】
【請求項１】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記複数種類の図柄のうち特定の図柄と同一の図柄が補助図柄として表示された補助図柄表示体と、
この補助図柄表示体を、前記リールの回転が停止しているときは、前記リールの外周面のうち前記特定の図柄を覆う位置に配置されるように支持し、かつ、前記リールが回転を開始するときは、慣性力によって前記リールの回転方向と相対的に逆方向へ移動させることにより前記補助図柄が前記特定の図柄に隣接する位置に表示されるように支持し、前記リールの回転中は前記移動した状態で前記リールと共に回転させ、前記リールの回転が停止したときは前記移動をする前の位置に復帰させる支持手段と、
前記リールの回転方向と相対的に逆方向へ移動した前記補助図柄表示体が、前記補助図柄を前記特定の図柄に隣接する位置に表示した位置で停止するように前記補助図柄表示体の移動範囲を規制する規制手段と、
を備えたことを特徴とする回胴式遊技機。
【請求項２】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記リールの外周面のうち、特定の図柄と隣接する部分に開口形成された窓と、
前記複数種類の図柄のうち特定の図柄と同一の図柄が第１補助図柄として、前記特定の図柄以外の図柄と同一の図柄が第２補助図柄として、前記リールの回転方向に沿って表示された補助図柄表示体と、
この補助図柄表示体を、前記リールの回転が停止しているときは、前記第２補助図柄が前記窓の内側に表示されるように支持し、かつ、前記リールが回転を開始するときは、慣性力によって前記リールの回転方向と相対的に逆方向へ移動させることにより前記第１補助図柄が前記窓の内側に表示されるように支持し、前記リールの回転中は前記移動した状態で前記リールと共に回転させ、前記リールの回転が停止したときは前記移動をする前の位置に復帰させる支持手段と、
前記リールの回転方向と相対的に逆方向へ移動した前記補助図柄表示体が、前記第１補助図柄を前記窓の内側に表示した位置で停止するように前記補助図柄表示体の移動範囲を規制する規制手段と、
を備えたことを特徴とする回胴式遊技機。
【請求項３】
前記窓が、前記特定の図柄を挟んでそれぞれ開口形成されており、
前記補助図柄表示体には、各窓に対応する数の前記第１および第２補助図柄がそれぞれ表示されており、
前記支持手段は、前記補助図柄表示体を、前記リールの回転が停止しているときは、前記各第２補助図柄が対応する前記各窓の内側に表示される位置に配置されるように支持し、かつ、前記リールが回転を開始するときは、慣性力によって前記リールの回転方向と相対的に逆方向へ移動させることにより前記各第１補助図柄が前記各窓の内側に表示されるように支持し、前記リールの回転中は前記移動した状態で前記リールと共に回転させ、前記リールの回転が停止したときは前記移動をする前の位置に復帰させるように構成されており、
前記規制手段は、前記リールの回転方向と相対的に逆方向へ移動した前記補助図柄表示体が、前記各第１補助図柄を前記各窓の内側に表示した位置で停止するように前記補助図柄表示体の移動範囲を規制するように構成されていることを特徴とする請求項２に記載の回胴式遊技機。
【請求項４】
前記支持手段は、
前記リールの回転軸に取付けられた回動中心部と、
この回動中心部と前記補助図柄表示体とを接続する接続部とを備えたことを特徴とする請求項１ないし請求項３のいずれか１つに記載の回胴式遊技機。
【請求項５】
前記支持手段は、
前記リールの回転が停止したときは、前記補助図柄表示体を前記移動をする前の位置に自重によって復帰させるように構成されていることを特徴とする請求項１ないし請求項４のいずれか１つに記載の回胴式遊技機。
【請求項６】
前記支持手段は、
前記リールの回転軸に取付けられた回動中心部と、
この回動中心部と補助図柄表示体とを接続する接続部とを備えており、
前記規制手段は、
前記リールの回転が停止したときに、前記移動した前記補助図柄表示体を移動前の位置へ復帰させるバネを備えたことを特徴とする請求項１ないし請求項３のいずれか１つに記載の回胴式遊技機。
【請求項７】
前記補助図柄表示体は、前記リールの回転停止時に、慣性力および前記バネのバネ力によって前記リールの回転方向と相対的に逆方向への移動および回転方向への移動を行った後に移動前の位置へ復帰することを特徴とする請求項６に記載の回胴式遊技機。
【請求項８】
前記支持手段は、
前記リールの回転軸に取付けられた回動中心部と、
この回動中心部と補助図柄表示体とを接続する接続部とを備えており、
前記規制手段は、
前記リールの回転が停止したときに、前記移動した前記補助図柄表示体を移動前の位置へ復帰させる錘を備えたことを特徴とする請求項１ないし請求項３のいずれか１つに記載の回胴式遊技機。
【請求項９】
前記リールは、前記回転軸とリール本体とを連結する連結部を備えており、
前記規制手段は、
前記接続部の所定個所に形成された突起部と、
前記連結部に形成されており、前記突起部の移動範囲を規制する規制部とを備えており、前記規制部によって前記突起部の移動範囲を規制することにより前記補助図柄表示体の移動範囲を規制するように構成されていることを特徴とする請求項１ないし請求項８のいずれか１つに記載の回胴式遊技機。
【発明の詳細な説明】
【技術分野】
【０００１】
この発明は、スロットマシンなどに代表される回胴式遊技機に関する。
【背景技術】
【０００２】
従来、回胴式遊技機では、リールの回転を開始させる始動レバーを操作したときに抽選が実行され、その抽選結果が所定の入賞役の当りであった場合は、停止スイッチを押すことにより、その入賞役を構成する図柄（以下、入賞図柄という）が入賞ライン上に停止した場合にメダルなどの賞媒体が払出される。
また、抽選結果が当りであった場合は、入賞図柄が入賞ラインに到達する前の数図柄分（例えば４図柄分）の範囲内で停止スイッチを押すと、その入賞図柄が所定の入賞ライン上に停止するようにリールの回転量を制御する、いわゆる引き込み制御が行われる。
この引き込み制御が実行されるタイミングで停止スイッチを押すことを目押し操作と呼ばれているが、初心者にとっては目押し操作をするタイミングを掴むことができないため、入賞図柄を入賞ラインに揃えることが困難だった。
そこで、１つのリールに複数の入賞図柄を連続して表示することにより、初心者でも目押し操作を行い易い回胴式遊技機が提案されている（特許文献１）。
【０００３】
【特許文献１】特開２００４−１０５７７７号公報（第２３段落、図１）
【発明の開示】
【発明が解決しようとする課題】
【０００４】
しかし、前記従来の回胴式遊技機は、１つのリールに複数の入賞図柄を連続して表示しているため、他の図柄の配置位置や個数が制限されてしまうという問題がある。
【０００５】
そこでこの発明は、上述の諸問題を解決するためになされたものであり、入賞図柄以外の図柄の配置位置や個数が制限されることがなく、目押し操作が行い易い回胴式遊技機を実現することを目的とする。
【課題を解決するための手段】
【０００６】
この発明は、上記目的を達成するため、請求項１に記載の発明では、複数種類の図柄（Ｚ，Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記複数種類の図柄のうち特定の図柄（Ｚ１）と同一の図柄が補助図柄（Ｚ２）として表示された補助図柄表示体（３０）と、この補助図柄表示体を、前記リールの回転が停止しているときは、前記リールの外周面のうち前記特定の図柄を覆う位置に配置されるように支持し、かつ、前記リールが回転を開始するときは、慣性力によって前記リールの回転方向と相対的に逆方向へ移動させることにより前記補助図柄が前記特定の図柄に隣接する位置に表示されるように支持し、前記リールの回転中は前記移動した状態で前記リールと共に回転させ、前記リールの回転が停止したときは前記移動をする前の位置に復帰させる支持手段（３１，３３，３３ａ）と、前記リールの回転方向と相対的に逆方向へ移動した前記補助図柄表示体が、前記補助図柄を前記特定の図柄に隣接する位置に表示した位置で停止するように前記補助図柄表示体の移動範囲を規制する規制手段（３４，４２）と、を備えたという技術的手段を用いる。
【０００７】
請求項２に記載の発明では、複数種類の図柄（Ｚ，Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記リールの外周面のうち、特定の図柄（Ｚ１）と隣接する部分に開口形成された窓（１２ｃ，１３ｃ，１４ｃ）と、前記複数種類の図柄のうち特定の図柄と同一の図柄が第１補助図柄（Ｚ２）として、前記特定の図柄以外の図柄と同一の図柄が第２補助図柄（Ｚ３）として、前記リールの回転方向に沿って表示された補助図柄表示体（５０）と、この補助図柄表示体を、前記リールの回転が停止しているときは、前記第２補助図柄が前記窓の内側に表示されるように支持し、かつ、前記リールが回転を開始するときは、慣性力によって前記リールの回転方向と相対的に逆方向へ移動させることにより前記第１補助図柄が前記窓の内側に表示されるように支持し、前記リールの回転中は前記移動した状態で前記リールと共に回転させ、前記リールの回転が停止したときは前記移動をする前の位置に復帰させる支持手段（５１，５３，５３ａ）と、前記リールの回転方向と相対的に逆方向へ移動した前記補助図柄表示体が、前記第１補助図柄を前記窓の内側に表示した位置で停止するように前記補助図柄表示体の移動範囲を規制する規制手段（５４，４２）と、を備えたという技術的手段を用いる。
【０００８】
請求項３に記載の発明では、請求項２に記載の回胴式遊技機（１０）において、前記窓（１２ｃ，１３ｃ，１４ｃ）が、前記特定の図柄（Ｚ１）を挟んでそれぞれ開口形成されており、前記補助図柄表示体（５０）には、各窓に対応する数の前記第１および第２補助図柄（Ｚ２，Ｚ３）がそれぞれ表示されており、前記支持手段は、前記補助図柄表示体を、前記リールの回転が停止しているときは、前記各第２補助図柄が対応する前記各窓の内側に表示される位置に配置されるように支持し、かつ、前記リールが回転を開始するときは、慣性力によって前記リールの回転方向と相対的に逆方向へ移動させることにより前記各第１補助図柄が前記各窓の内側に表示されるように支持し、前記リールの回転中は前記移動した状態で前記リールと共に回転させ、前記リールの回転が停止したときは前記移動をする前の位置に復帰させるように構成されており、前記規制手段は、前記リールの回転方向と相対的に逆方向へ移動した前記補助図柄表示体が、前記各第１補助図柄を前記各窓の内側に表示した位置で停止するように前記補助図柄表示体の移動範囲を規制するように構成されているという技術的手段を用いる。
【０００９】
請求項４に記載の発明では、請求項１ないし請求項３のいずれか１つに記載の回胴式遊技機（１０）において、前記支持手段は、前記リールの回転軸（４３）に取付けられた回動中心部（３３，５３）と、この回動中心部と前記補助図柄表示体（３０，５０）とを接続する接続部（３１，５１）とを備えたという技術的手段を用いる。
【００１０】
請求項５に記載の発明では、請求項１ないし請求項４のいずれか１つに記載の回胴式遊技機（１０）において、前記支持手段は、前記リールの回転が停止したときは、前記補助図柄表示体（３０，５０）を前記移動をする前の位置に自重によって復帰させるように構成されているという技術的手段を用いる。
【００１１】
請求項６に記載の発明では、請求項１ないし請求項３のいずれか１つに記載の回胴式遊技機（１０）において、前記支持手段は、前記リールの回転軸（４３）に取付けられた回動中心部（３３，５３）と、この回動中心部と補助図柄表示体とを接続する接続部（３１，５１）とを備えており、前記規制手段は、前記リールの回転が停止したときに、前記移動した前記補助図柄表示体を移動前の位置へ復帰させるバネ（６０）を備えたという技術的手段を用いる。
【００１２】
請求項７に記載の発明では、請求項６に記載の回胴式遊技機（１０）において、前記補助図柄表示体（３０，５０）は、前記リールの回転停止時に、慣性力および前記バネのバネ力によって前記リールの回転方向と相対的に逆方向への移動および回転方向への移動を行った後に移動前の位置へ復帰するという技術的手段を用いる。
【００１３】
請求項８に記載の発明では、請求項１ないし請求項３のいずれか１つに記載の回胴式遊技機（１０）において、前記支持手段は、前記リールの回転軸（４３）に取付けられた回動中心部（３３，５３）と、この回動中心部と補助図柄表示体とを接続する接続部（３１，５１）とを備えており、前記規制手段は、前記リールの回転が停止したときに、前記移動した前記補助図柄表示体を移動前の位置へ復帰させる錘を備えたという技術的手段を用いる。
【００１４】
請求項９に記載の発明では、請求項１ないし請求項８のいずれか１つに記載の回胴式遊技機（１０）において、前記リールは、前記回転軸（４３）とリール本体（１４ｂ）とを連結する連結部（４０，４１）を備えており、前記規制手段は、前記接続部（３１，５１）の所定個所に形成された突起部（３４，５４）と、前記連結部に形成されており、前記突起部の移動範囲を規制する規制部（４２）とを備えており、前記規制部によって前記突起部の移動範囲を規制することにより前記補助図柄表示体（３０，５０）の移動範囲を規制するように構成されているという技術的手段を用いる。
なお、上記の括弧内の符号は、後述する実施形態において使用する符号および語句と対応するものである。
【発明の効果】
【００１５】
（請求項１に係る発明の効果）
リールが回転を始めると、リールの外周面のうち特定の図柄を覆う位置に配置されていた補助図柄表示体が慣性力によってリールの回転方向と相対的に逆方向へ移動し、補助図柄表示体に表示された補助図柄が特定の図柄に隣接する位置に表示された位置で停止し、その状態を維持してリールが回転する。
つまり、リールが回転しているときは、リールの外周面に表示された特定の図柄と、その特定の図柄と同一の図柄である補助図柄とが連続して表示され、見かけ上、特定の図柄の表示面積が増加した状態となる。換言すると、連続して表示された特定の図柄を、回転方向に一定の長さを有する１固まりの模様として捉えることができる状態となる。
従って、特定の図柄が他の図柄から非常に目立った状態となるため、遊技者は、目押し操作のタイミングを採り易くなる。
また、リールの回転が停止すると、補助図柄表示体は特定の図柄を覆う位置に戻り、特定の図柄と同一図柄の補助図柄を表示するため、リールの外周面に表示されている図柄の配置位置や個数が減少することがない。
さらに、補助図柄表示体はリールの回転開始時に慣性力によって移動するため、モータなど、移動のための駆動源が不要であり、回胴式遊技機の製造コストを低減することができる。
【００１６】
（請求項２に係る発明の効果）
リールが回転を始めると、リールの外周面のうち、特定の図柄と隣接する部分に開口形成された窓の内側に配置されている補助図柄表示体が慣性力によってリールの回転方向と相対的に逆方向へ移動し、第１補助図柄が窓の内側に表示された位置で停止し、その状態を維持してリールが回転する。
つまり、リールが回転しているときは、リールの外周面に表示された特定の図柄と、その特定の図柄と同一の図柄である第１補助図柄とが連続して表示され、見かけ上、特定の図柄の表示面積が増加した状態となる。換言すると、連続して表示された特定の図柄を、回転方向に一定の長さを有する１固まりの模様として捉えることができる状態となる。
従って、特定の図柄が他の図柄から非常に目立った状態となるため、遊技者は、目押し操作のタイミングを採り易くなる。
また、リールの回転が停止すると、補助図柄表示体はリールの窓の内側に第２補助図柄を表示する位置に戻るため、リールの外周面に表示されている図柄の配置位置や個数が減少することがない。
さらに、補助図柄表示体はリールの回転開始時に慣性力によって移動するため、モータなど、移動のための駆動源が不要となるので、回胴式遊技機の製造コストを低減することができる。
【００１７】
（請求項３に係る発明の効果）
リールの回転中は、特定の図柄を挟んだ各窓に第１補助図柄がそれぞれ表示されるため、より一層目押し操作のタイミングを採り易くなる。例えば、特定の図柄を挟んで窓が１個ずつ開口形成されている場合は、各窓に表示される第１補助図柄と、リールの外周面において窓の隣に表示されている特定の図柄とを合わせて計３つの特定の図柄が連続して表示された状態となるため、２つの特定の図柄が連続して表示される場合よりもさらに特定の図柄が目立つので、より一層、目押し操作のタイミングを採り易い。
【００１８】
（請求項４に係る発明の効果）
支持手段の回動中心部がリールの回転軸に取付けられており、その回動中心部からリールの径方向に延びた接続部の先端に補助図柄表示体が取付けられているため、リールの回転に伴って補助図柄表示体を回転させることができる。
従って、補助図柄表示体を回転させるための駆動源が不要であるため、回胴式遊技機の製造コストを低減することができる。また、電気的故障も発生しない。
【００１９】
（請求項５に係る発明の効果）
リールの回転が停止したときは、補助図柄表示体を移動をする前の位置に自重によって復帰させることができるため、復帰させるための機械的構造や駆動源などが不要となるので、回胴式遊技機の製造コストを低減することができる。また、機械的故障や電気的故障も発生しない。
【００２０】
（請求項６に係る発明の効果）
リールの回転が停止したときは、バネによって補助図柄表示体を移動をする前の位置に復帰させることができるため、復帰させるための動力源などが不要となるので、回胴式遊技機の製造コストを低減することができる。また、電気的故障も発生しない。
【００２１】
（請求項７に係る発明の効果）
補助図柄表示体は、リールの回転停止時に、慣性力およびバネのバネ力によってリールの回転方向と逆方向への移動および回転方向への移動を行った後に移動前の位置へ復帰する演出を行うことができるため、回転が停止したリールの停止図柄を目立たせることができる。
【００２２】
例えば、請求項１に係る発明と請求項７に係る発明とを組み合わせた場合は、補助図柄表示体がリールの特定の図柄を覆う位置に配置されているため、リールの回転停止時に、補助図柄表示体が特定の図柄の上を往復するので、特定の図柄を引き立てることができ、従来にはない面白い演出を行うことができる。
また、請求項２に係る発明と請求項７に係る発明とを組み合わせた場合は、補助図柄表示体がリールに開口形成された窓の内側に配置されているため、リールの回転停止時に、補助図柄表示体の第１および第２補助図柄が窓の内側を往復するので、特定の図柄を引き立てることができ、従来にはない面白い演出を行うことができる。
【００２３】
（請求項８に係る発明の効果）
リールの回転が停止したときは、錘によって補助図柄表示体を移動をする前の位置に復帰させることができるため、復帰させるための機械的構造や動力源などが不要となるので、回胴式遊技機の製造コストを低減することができる。また、機械的故障や電気的故障も発生しない。
【００２４】
（請求項９に係る発明の効果）
接続部の所定個所に形成された突起部と、回転軸とリール本体とを連結する連結部に形成された規制部とによって補助図柄表示体の移動範囲を規制することができる。
従って、補助図柄表示体が移動し過ぎることにより、本来、補助図柄表示体によって覆うべき図柄が露出してしまい、特定の図柄を目立たせる効果が薄れるおそれがない。
【発明を実施するための最良の形態】
【００２５】
＜第１実施形態＞
［全体の主要構成］
まず、この発明の第１実施形態に係る回胴式遊技機の主要構成について図１を参照して説明する。図１は、その回胴式遊技機の外観を示す斜視図である。なお、以下の説明では、図１を基準とし、回胴式遊技機にて遊技を行う遊技者と対向する面を前面、対向する方向を前方とする。
【００２６】
回胴式遊技機１０には、箱状のハウジング１１が備えられており、そのハウジング１１の前面には、上から順に上部ランプ６、上段パネル５、中段パネル４、下段パネル３が設けられている。下段パネル３は前方へ突出して設けられており、その下段パネル３と中段パネル４との境界部分には、段部２が形成されている。中段パネル４には、左から順に左表示窓１２ａ、中表示窓１３ａ、右表示窓１４ａが所定間隔を置いて横並びに配置されている。各表示窓は、縦長の長方形に開口形成されており、各開口部には、ガラスや合成樹脂などの透光性材料により形成された蓋がそれぞれ嵌め込まれている。各蓋の内側には、それぞれ左リール１２，中リール１３，右リール１４が設けられている。
【００２７】
なお、以下の説明において左リール１２、中リール１３および右リール１４に共通の事項を説明する場合は、単にリール（回胴）という。また、左表示窓１２ａ、中表示窓１３ａおよび右表示窓１４ａに共通の事項を説明する場合は、単に表示窓という。
【００２８】
図２は、各リールの取付構造を示す説明図である。各リールは、それぞれ円筒形状に形成されており、同軸上に配置されている。各リールは、前面が開口形成されたハウジング２９に回転可能に収容されており、各リールの前方の半分近くが前方に露出した状態になっている。ハウジング２９は、各リールの上方および後方を覆う上壁２９ａと、左右に設けられた２つの側壁２９ｂと、底壁２９ｅとを備える。各壁で囲まれた空間は、２つの仕切部材２９ｄによって３つの空間に仕切られており、各空間にリールが１つずつ収容されている。
【００２９】
各リールの表示窓１２ａ，１２ｂ，１２ｃから視認可能な図柄は上から下へ向かう方向へ回転し、各リールに表示されている図柄は、それぞれ対応する表示窓の内側を上から下へ通過する。
各リールの内側には、照明用のランプが設けられており、そのランプからの光を各リールの裏面に照射することにより、各リールに表示されている図柄が浮かび上がるようになっている。
【００３０】
段部２の右方には、遊技媒体としてのメダルを投入するためのメダル投入口７が設けられており、段部２の左方には、賭数を設定するＢＥＴスイッチ２０が設けられている。段部２の中央には、抽選結果が当りであることを示唆する画像、その他の演出画像などを表示する副表示装置８が設けられている。
下段パネル３の左上角部には、始動レバー２５が設けられている。始動レバー２５は、上下方向に傾倒操作可能であり、メダル投入口７にメダルが投入されていること、あるいは、賞として払出されるべきメダルの数が１以上記憶されていることを条件に、始動レバー２５を上方または下方に倒すと、総てのリールが上下方向に回転を開始し、遊技が開始される。
【００３１】
始動レバー２５の右方には、左から順に左停止スイッチ２２、中停止スイッチ２３、右停止スイッチ２４が所定間隔を置いて横方向に配置されている。左停止スイッチ２２を押すと左リール１２の回転が停止し、中停止スイッチ２３を押すと中リール１３の回転が停止し、右停止スイッチ２４を押すと右リール１４の回転が停止する。また、各停止スイッチの表面は透光性の材料により形成されており、その内側には、停止スイッチの操作状態により点灯、点滅、消灯するＬＥＤがそれぞれ設けられている。つまり、各ＬＥＤの点灯状態を見ることにより、停止スイッチの操作状態を確認できるようになっている。
【００３２】
メダル投入口７の上部に対応する中段パネル４には、メダルそのものを払出す代わりに払出すべきメダルの数を積算して記憶し、その数を貯留枚数として表示する枚数表示部２７が設けられている。この実施形態では、枚数表示部２７は、７セグメントのＬＥＤを２つ横方向に配置して構成されており、最大５０枚まで表示可能となっている。ＢＥＴスイッチ２０を１回押すと、メダル１枚が投入された形となり、貯留枚数から１枚が減算される。この実施形態では、全リールの回転開始から停止までを１遊技とした場合に、１遊技につき、一度に投入できるメダルの数、つまり賭数の最大は３枚である。
【００３３】
ＢＥＴスイッチ２０の左方には、１回の操作で最大の賭数を設定するためのＭＡＸスイッチ２１が設けられている。ハウジング１１の下方には、メダルが払出されるメダル払出口が設けられており、その払出し方向には、払出されたメダルを貯留するメダル受け皿２６が設けられている。また、メダル受け皿２６の左側には、灰皿２８が設けられている。
【００３４】
各表示窓１２ａ，１３ａ，１４ａには、各リールが停止したときに縦方向に３つの図柄が表示されるようになっている。各表示窓の上段に停止した図柄間を結ぶライン、各表示窓の中段に停止した図柄間を結ぶライン、各表示窓の下段に停止した図柄間を結ぶライン、左表示窓１２ａの上段に停止した図柄と、中表示窓１３ａの中段に停止した図柄と、右表示窓１４ａの下段に停止した図柄とを結ぶライン、左表示窓１２ａの下段に停止した図柄と、中表示窓１３ａの中段に停止した図柄と、右表示窓１４ａの上段に停止した図柄とを結ぶラインの計５本のラインが入賞ラインに設定されている。
左表示窓１２ａの左方であって各入賞ラインの延長線上には、入賞ラインが有効になっていることを点灯により報知するライン表示ランプ１５〜１９が設けられている。
【００３５】
賭数が１枚の場合は、中段入賞ラインのみが有効となり、賭数が２枚の場合は、上段入賞ライン、中段入賞ラインおよび下段入賞ラインの計３本の入賞ラインが有効となる。また、賭数が３枚の場合は、５本総ての入賞ラインが有効となる。
図６は、各リールの外周面に表示された図柄の説明図である。各リールの外周面には、複数の図柄が縦方向に１つずつ所定間隔置きに配列されている。また、リール毎に図柄の配列が異なり、同じ図柄でもその数が異なる。この実施形態では、計２１個の図柄がそれぞれ各リールに表示されており、図６に示すように、図柄の種類は、ＢＡＲ、チェリー、セブン、ベル、スイカおよびリプレイの計６種類である。図中、左リール１２の左側に表示された番号は、図柄の配置順序を示す番号である。各リールは、各表示窓から見て上下方向（図６において矢印Ｆ１で示す方向）に回転する。
【００３６】
始動レバー２５を操作すると全リールが回転を開始し、所定の停止スイッチを押すと、その停止スイッチに対応するリールの回転が停止する。各リールの回転が停止したときに、有効になっている入賞ライン上に入賞図柄が揃うと、賞として所定数のメダルが払出される。以下の説明において、払出されるメダル数を配当枚数という。配当枚数は、当りとなった場合の図柄の種類によって異なる。例えば、「チェリー・チェリー・チェリー」の場合の配当枚数は８枚であり、「ベル・ベル・ベル」または「スイカ・スイカ・スイカ」の場合は１０枚であり、「７・７・７」または「ＢＡＲ・ＢＡＲ・ＢＡＲ」の場合は１５枚である。なお、以下の説明では、「チェリー」、「ベル」および「スイカ」を小役図柄という。
【００３７】
また、「Ｒ・Ｒ・Ｒ」が入賞ラインに揃った場合は、メダルを投入しなくても、始動レバー２５を傾倒操作すれば再度各リールが回転する再遊技（リプレイ）が可能となる。
また、入賞ライン上に「ＢＡＲ・ＢＡＲ・ＢＡＲ」が揃うと、レギュラーボーナス遊技が開始される。レギュラーボーナス遊技が開始されると、入賞ライン上に「Ｒ・Ｒ・Ｒ」が揃う確率の高い遊技状態に変化し、「Ｒ・Ｒ・Ｒ」が揃った場合は、１５枚のメダルが払出される。
また、入賞ライン上に「７・７・７」が揃うと、ビッグボーナス遊技が開始される。ビッグボーナス遊技が開始されると、レギュラーボーナス遊技を最大３回分行うことができることに加えて、小役当りの可能性のある遊技を最大３０回行うことができる。
【００３８】
［リールの主要構造］
次に、リールの主要構造について図を参照して説明する。
図３は、右リールの主要構造を示す分解斜視図である。図４は、右リールの左側面の一部を示す説明図であり、（ａ）は停止している右リールの説明図、（ｂ）は回転している右リールの説明図である。各リールは基本的に同じ構造であるため、ここでは右リールの主要構造を代表に説明する。
【００３９】
右リール１４は、リール本体１４ｂを備えており、リール本体１４ｂの右側面には回転軸４３が備えられている。図４に示すように、右リール１４の左側面であって回転軸４３の裏面に対応する箇所には、軸受４５が設けられており、軸受４５には軸挿入孔４４が左から右へ形成されている。右リール１４は、ステッピングモータ７０を備えており、ステッピングモータ７０の回転シャフト７１は軸挿入孔４４に挿入されている。
回転軸４３の基部からは、回転軸４３にリール本体１４ｂを支持するための連結部４０が延びており、連結部４０はリール本体１４ｂの右側の周縁に接合されている。この実施形態では、棒状の４つの連結部４０が回転軸４３の基部から四方に延びており、各連結部４０はリール本体１４ｂの右側の周縁に接合されている。
【００４０】
なお、連結部４０が１つでもリール本体１４ｂを支持することが可能であるが、安定して支持するためには、少なくとも２つ以上の連結部４０を用いることが望ましい。また、側面視扇状、半円形、円形に形成された連結部を用いることもできる。
所定の連結部４０と、この連結部４０と隣り合う連結部４０との間には、連結部４１が形成されている。連結部４１には、後述する突起部３４の移動範囲を規制する規制部４２が形成されている。この実施形態では、規制部４２は、回転軸４３を中心とする円弧状に形成され、左右方向に貫通した溝に形成されている。
【００４１】
右リール１４の外周面のうち、１２番目の特定の図柄Ｚ１（図６）の上方を覆う位置には、補助図柄表示体３０が配置されている。補助図柄表示体３０は、特定の図柄Ｚ１を覆ったときに特定の図柄Ｚ１が完全に隠れ、かつ、特定の図柄Ｚ１と上下に隣接する他の図柄Ｚの上にはみ出ない大きさに形成されている。補助図柄表示体３０の表面には、特定の図柄Ｚ１と同一の図柄である補助図柄Ｚ２が表示されている。この実施形態では、補助図柄表示体３０は、右リール１４の外周部分を１図柄分だけ切り取った形状と相似形に形成されており、補助図柄Ｚ２としてセブン図柄が表示されている。
【００４２】
［補助図柄表示体の取付構造］
各リールに配置された補助図柄表示体は、基本的に同じ取付構造であるため、ここでは右リールに配置された補助図柄表示体の取付構造を代表に説明する。
補助図柄表示体３０は、接続部３１の先端に取付けられており、接続部３１の基端には、回動中心部３３が取付けられている。回動中心部３３には、リール１４の回転軸４３を挿通するための挿通孔３３ａが左右方向に貫通形成されている。この実施形態では、接続部３１は、回動中心部３３から水平に延びた片持ち式のアーム状に形成されており、補助図柄表示体３０および接続部３１の重量により、挿通孔３３ａの回りには、補助図柄表示体３０および接続部３１を下方へ回動させようとするモーメントが作用する。
【００４３】
接続部３１の左側面であって、リール１４の連結部４１に形成された規制部４２に対応する箇所には、突起部３４が左方に突出して取付けられている。つまり、回動中心部３３の挿通孔３３ａに右リール１４の回転軸４３が挿通された状態で、突起部３４が規制部４２の内部を移動し、突起部３４が規制部４２内部の端部に当接することにより、補助図柄表示体３０の移動範囲が規制される（図４）。
【００４４】
接続部３１は、補助図柄表示体３０の右端に取付けられており、回動中心部３３の挿通孔３３ａに右リール１４の回転軸４３を挿通したときに、補助図柄表示体３０が特定の図柄Ｚ１の上方に配置されるようになっている。
規制部４２の長さは、突起部３４が規制部４２に挿通された状態で、補助図柄表示体３０が、右リール１４の特定の図柄Ｚ１を覆った状態と、その特定の図柄Ｚ１に隣接する他の図柄Ｚを覆った状態とに変化できる長さに設定されている。
補助図柄表示体３０および接続部３１の重量は、右リール１４が回転を開始したときに、慣性力によって補助図柄表示体３０が右リール１４の回転方向と相対的に逆方向に回転し、特定の図柄Ｚ１の上に隣接する図柄Ｚの上に移動し、右リール１４の回転が停止したときに、自重によって下降し、特定の図柄Ｚ１の上を覆う位置に復帰する重量に設定する。
【００４５】
図２に示すように、左リール１２および中リール１３も右リール１４と同じ構成である。図６において、各リールの右側に示す補助図柄表示体３０の位置は、各リールが停止しているときの位置を示す。図６に示すように、左リール１２の外周面の２番目および３番目には、特定の図柄Ｚ１（セブン図柄）が２個連続して表示されており、１２番目には特定の図柄Ｚ１（セブン図柄）が１個のみ表示されている。左リール１２が停止しているときは、補助図柄表示体３０は、２番目の特定の図柄Ｚ１の上方を覆っている。
また、中リール１３は右リール１４と同様に、特定の図柄Ｚ１（セブン図柄）が１個のみ表示された箇所が２箇所存在し、補助図柄表示体３０は、１２番目の特定の図柄Ｚ１を覆っている。
【００４６】
［補助図柄表示体の動作］
次に、補助図柄表示体３０の動作について説明する。
図４（ａ）に示すように、右リール１４が停止しているときは、補助図柄表示体３０は、その自重によって下降するため、接続部３１の突起部３４は、連結部４１の規制部４２の下端に当接した状態となっており、１２番目の特定の図柄Ｚ１（図６）を覆った状態になっている。また、左リール１２の補助図柄表示体３０は、２番目の特定の図柄Ｚ１を、中リール１３の補助図柄表示体３０は、１２番目の特定の図柄Ｚ１をそれぞれ覆った状態になっている。
【００４７】
そして、始動レバー２５を操作すると全リールが一斉に回転を開始する。このとき、各リールの外周面上方に配置された補助図柄表示体３０は、慣性力によって停止時の位置を維持しようとするため、リールの回転方向と相対的に逆方向へ移動する（図４（ｂ））。このとき、接続部３１の突起部３４は、連結部４１の規制部４２の上端に当接するため、補助図柄表示体３０の移動が阻止される。
【００４８】
図５は右リールに配置された補助図柄表示体の移動前後の状態を示す部分説明図であり、（ａ）は移動前の補助図柄表示体の説明図、（ｂ）は移動後の補助図柄表示体の説明図である。例えば、図５（ａ）に示すように、右リール１４が停止しているときは、右リール１４の特定の図柄Ｚ１（セブン図柄）に代わって補助図柄表示体３０の補助図柄Ｚ２（セブン図柄）が表示されている。そして、右リール１４が回転を開始すると、図５（ｂ）に示すように、補助図柄表示体３０が慣性力によって右リール１４の回転方向と相対的に逆方向へ移動し、右リール１４の特定の図柄Ｚ１に隣接する他の図柄Ｚであるリプレイ図柄が補助図柄表示体３０によって覆われ、それまで補助図柄表示体３０によって隠れていた特定の図柄Ｚ１（セブン図柄）が露出する。
【００４９】
つまり、図示のように、特定の図柄Ｚ１であるセブン図柄が回転方向に２つ連続して表示された状態になる。以降、右リール１４の回転中は、補助図柄表示体３０の慣性力が維持されるため、補助図柄表示体３０が移動した状態が維持され、回転方向にセブン図柄が２つ連続して表示された状態が持続する。
また、図６に示すように、左リール１２については、２番目のセブン図柄を覆っていた補助図柄表示体３０が、そのセブン図柄に隣接する１番目のスイカ図柄の上に移動するため、セブン図柄が３つ連続して表示された状態になる。
【００５０】
中リール１３については、１２番目のセブン図柄を覆っていた補助図柄表示体３０が、そのセブン図柄に隣接する１１番目のチェリー図柄の上に移動するため、セブン図柄が２つ連続して表示された状態になる。
図７は、各表示窓から見える図柄の表示態様を示す説明図であり、（ａ）は回転中の表示態様を示す説明図、（ｂ）は停止時の表示態様を示す説明図である。図７（ａ）に示すように、左表示窓１２ａではセブン図柄が３つ連続して通過し、中表示窓１３ａおよび右表示窓１４ａではそれぞれセブン図柄が２つ連続して通過する。
従って、遊技者は、連続して通過するセブン図柄を、回転方向に一定の長さを有する１固まりの模様として捉えることができるため、目押し操作のタイミングを採り易くなる。特に、左表示窓１２ａではセブン図柄が３つ連続して通過するため、２つ連続して通過するものよりも目押し操作のタイミングを採り易い。
【００５１】
そして、左停止スイッチ２２、中停止スイッチ２３および右停止スイッチ２４を押すと、その押した停止スイッチに対応するリールの回転が停止する。図７（ｂ）に示す例では、左リール１２の１番目のスイカ図柄の上方へ移動していた補助図柄表示体３０が自重によって下降し、２番目のセブン図柄を覆った状態になっており、回転開始前の状態に復帰している。また、中リール１３の１１番目のチェリー図柄の上方へ移動していた補助図柄表示体３０が自重によって下降し、１２番目のセブン図柄を覆った状態になっており、回転開始前の状態に復帰している。さらに、右リール１４の１１番目のリプレイ図柄の上方へ移動していた補助図柄表示体３０が自重によって下降し、１２番目のセブン図柄を覆った状態になっており、回転開始前の状態に復帰している。
【００５２】
［第１実施形態の効果］
（１）リールが回転を始めると、リールの外周面のうち特定の図柄Ｚ１を覆う位置に配置されていた補助図柄表示体３０が慣性力によってリールの回転方向と相対的に逆方向へ移動し、特定の図柄Ｚ１に隣接する図柄Ｚを覆い、補助図柄Ｚ２が特定の図柄Ｚ１に隣接する位置で停止し、その状態を維持してリールが回転する。
つまり、リールが回転しているときは、リールの外周面に表示された特定の図柄Ｚ１と、その特定の図柄Ｚ１と同一の図柄である補助図柄Ｚ２とが連続して表示され、見かけ上、特定の図柄Ｚ１の表示面積が増加した状態となる。換言すると、連続して表示された特定の図柄Ｚ１を、回転方向に一定の長さを有する１固まりの模様として捉えることができる状態となる。
従って、特定の図柄Ｚ１が他の図柄Ｚから非常に目立った状態となるため、遊技者は、目押し操作のタイミングを採り易くなる。
【００５３】
（２）リールの回転が停止すると、補助図柄表示体３０は特定の図柄Ｚ１を覆う位置に戻り、特定の図柄Ｚ１と同一図柄の補助図柄Ｚ２を表示するため、リールの外周面に表示されている図柄の配置位置や個数が減少することがない。
【００５４】
（３）補助図柄表示体３０はリールの回転開始時に慣性力によって移動するため、モータなど、移動のための駆動源が不要であり、回胴式遊技機１０の製造コストを低減することができる。
【００５５】
（４）回動中心部３３がリールの回転軸４３に取付けられており、その回動中心部３３からリールの径方向に延びた接続部３１の先端に補助図柄表示体３０が取付けられているため、リールの回転に伴って補助図柄表示体３０を回転させることができる。
従って、補助図柄表示体３０を回転させるための駆動源が不要であるため、回胴式遊技機１０の製造コストを低減することができる。また、電気的故障も発生しない。
【００５６】
（５）リールの回転が停止したときは、補助図柄表示体３０を移動をする前の位置に自重によって復帰させることができるため、復帰させるための機械的構造や駆動源などが不要となるので、回胴式遊技機１０の製造コストを低減することができる。また、機械的故障や電気的故障も発生しない。
【００５７】
（６）接続部３１の所定個所に形成された突起部３４と、回転軸４３とリール本体とを連結する連結部４１に形成された規制部４２とによって補助図柄表示体３０の移動範囲を規制することができる。
従って、補助図柄表示体３０が移動し過ぎることにより、本来、補助図柄表示体３０によって覆うべき図柄が露出してしまい、特定の図柄Ｚ１を目立たせる効果が薄れるおそれがない。
【００５８】
＜第２実施形態＞
次に、この発明の第２実施形態について図を参照して説明する。
この実施形態の回胴式遊技機は、リールに表示された特定の図柄に隣接する箇所に窓が開口形成されており、その内側に配置された補助図柄表示体の補助図柄が窓から露出することを特徴とする。なお、この実施形態の回胴式遊技機は、リールの外周面および補助図柄表示体の構成以外は、第１実施形態の回胴式遊技機１０と同じ構成であるため、その同じ構成の説明は省略し、同じ構成については同じ符号を用いて説明する。
【００５９】
図８は、右リールの主要構造を示す分解斜視図である。図９は、右リールの左側面の一部を示す説明図であり、（ａ）は停止している右リールの説明図、（ｂ）は回転している右リールの説明図である。図１０は右リールの窓に表示された補助図柄の変化を説明するための説明図であり、（ａ）は右リール停止時における補助図柄の説明図、（ｂ）は右リール回転時における補助図柄の説明図である。図１１は、各リールと補助図柄表示体との位置関係を示す説明図である。図１２は、各表示窓から見える図柄の表示態様を示す説明図であり、（ａ）は回転中の表示態様を示す説明図、（ｂ）は停止時の表示態様を示す説明図である。
【００６０】
［リールおよび補助図柄表示体の主要構造］
各リールの構造および補助図柄表示体の取付構造は基本的に同じであるため、ここでは右リールの主要構造および右リールの補助図柄表示体の取付構造を代表に説明する。
図８に示すように、右リール１４の外周面には、窓１４ｃが２箇所開口形成されている。図１１に示すように、本来ならば右リール１４の外周面において１番目および３番目に表示されるべき図柄の表示領域に窓１４ｃがそれぞれ開口形成されており、２番目には特定の図柄Ｚ１（セブン図柄）が、４番目には特定の図柄以外の図柄Ｚ（ベル図柄）がそれぞれ表示されている。
右リール１４の裏面には、補助図柄表示体５０が配置されている。特定の図柄Ｚ１と同一の補助図柄を第１補助図柄Ｚ２とし、特定の図柄Ｚ１以外の図柄Ｚと同一の補助図柄を第２補助図柄Ｚ３とすると、補助図柄表示体５０には、上から順に第２補助図柄Ｚ３、第１補助図柄Ｚ２、第２補助図柄Ｚ３、第１補助図柄Ｚ１の計４つの補助図柄が表示されている。
【００６１】
図示の例では、右リール１４の裏面側に配置される補助図柄表示体５０には、上から順にリプレイ図柄と同一の第２補助図柄Ｚ３、セブン図柄と同一の第１補助図柄Ｚ２、ベル図柄と同一の第２補助図柄Ｚ３、セブン図柄と同一の第１補助図柄Ｚ２が表示されている。右リール１４の停止時は、補助図柄表示体５０の２つの第２補助図柄Ｚ３が右リール１４の窓１４ｃの内側にそれぞれ表示され、２つの第１補助図柄Ｚ２のうち、上部の第１補助図柄Ｚ２は、右リール１４の２番目の特定の図柄Ｚ１の裏面に隠れ、下部の第１補助図柄Ｚ２は、４番目の図柄Ｚの裏面に隠れた状態となる。
【００６２】
図１１に示すように、左リール１２の外周面において、本来ならば１番目および４番目に表示されるべき図柄の表示領域に窓１２ｃがそれぞれ開口形成されている。２番目および３番目には特定の図柄Ｚ１（セブン図柄）が、５番目には図柄Ｚ（ベル図柄）がそれぞれ表示されている。
左リール１２の裏面側に配置される補助図柄表示体５０には、上から順にスイカ図柄と同一の第２補助図柄Ｚ３、セブン図柄と同一の第１補助図柄Ｚ２、リプレイ図柄と同一の第２補助図柄Ｚ３、セブン図柄と同一の第１補助図柄Ｚ２が表示されている。左リール１２の停止時は、補助図柄表示体５０の２つの第２補助図柄Ｚ３が左リール１２の窓１２ｃの内側にそれぞれ表示され、２つの第１補助図柄Ｚ２のうち、上部の第１補助図柄Ｚ２は、左リール１２の２番目の特定の図柄Ｚ１の裏面に隠れ、下部の第１補助図柄Ｚ２は、５番目の図柄Ｚの裏面に隠れた状態となる。
【００６３】
図１１に示すように、中リール１３の外周面において、本来ならば１１番目および１３番目に表示されるべき図柄の表示領域に窓１３ｃがそれぞれ開口形成されている。１２番目には特定の図柄Ｚ１（セブン図柄）が、１４番目には図柄Ｚ（ＢＡＲ図柄）がそれぞれ表示されている。
中リール１３の裏面側に配置される補助図柄表示体５０には、上から順にチェリー図柄と同一の第２補助図柄Ｚ３、セブン図柄と同一の第１補助図柄Ｚ２、リプレイ図柄と同一の第２補助図柄Ｚ３、セブン図柄と同一の第１補助図柄Ｚ２が表示されている。中リール１３の停止時は、補助図柄表示体５０の２つの第２補助図柄Ｚ３が中リール１３の窓１３ｃの内側にそれぞれ表示され、２つの第１補助図柄Ｚ２のうち、上部の第１補助図柄Ｚ２は、中リール１３の１２番目の特定の図柄Ｚ１の裏面に隠れ、下部の第１補助図柄Ｚ２は、１４番目の図柄Ｚの裏面に隠れた状態となる。
【００６４】
補助図柄表示体５０は、接続部５１の先端に取付けられており、接続部５１の基端には、回動中心部５３が取付けられている。回動中心部５３には、リール１４の回転軸４３を挿通するための挿通孔５３ａが左右方向に貫通形成されている。この実施形態では、接続部５１は、回動中心部５３から水平に延びた片持ち式のアーム状に形成されており、補助図柄表示体５０および接続部５１の重量により、挿通孔５３ａの回りには、補助図柄表示体５０および接続部５１を下方へ回動させようとするモーメントが作用する。
【００６５】
接続部５１は、補助図柄表示体５０の右端に取付けられており、回動中心部５３の挿通孔５３ａに右リール１４の回転軸４３を挿通したときに、補助図柄表示体５０の第１補助図柄Ｚ２または第２補助図柄Ｚ３が、右リール１４の各窓１４ｃの内側から露出するようになっている。
規制部４２の長さは、突起部５４が規制部４２に挿通された状態で、補助図柄表示体５０が、右リール１４の各窓１４ｃに第１補助図柄Ｚ２を露出させた状態と、第２補助図柄Ｚ３を露出させた状態とに変化できる長さに設定されている。
【００６６】
補助図柄表示体５０および接続部５１の重量は、右リール１４が回転を開始したときに、慣性力によって補助図柄表示体５０が右リール１４の回転方向と相対的に逆方向に回転し、各第１補助図柄Ｚ２が、それぞれ右リール１４の窓１４ｃの内側から露出し、右リール１４の回転が停止したときに、自重によって下降し、各第２補助図柄Ｚ３が窓１４ｃの内側から露出する位置に復帰する重量に設定する。
【００６７】
［補助図柄表示体の動作］
次に、補助図柄表示体５０の動作について説明する。
図９（ａ）に示すように、右リール１４が停止しているときは、補助図柄表示体５０は、その自重によって下降するため、接続部５１の突起部５４は、連結部４１の規制部４２の下端に当接した状態となっており、右リール１４の各窓１４ｃの裏面側に第２補助図柄Ｚ３（リプレイ図柄、ベル図柄）がそれぞれ露出した状態になっている。また、左リール１２の各窓１２ｃおよび中リールの各窓１３ｃの各裏面側にも、各リール毎に配置された補助図柄表示体５０の第２補助図柄Ｚ３がそれぞれ露出した状態になっている。
【００６８】
そして、始動レバー２５を操作すると全リールが一斉に回転を開始する。このとき、各リールの裏面側に配置された各補助図柄表示体５０は、慣性力によって停止時の位置を維持しようとするため、リールの回転方向と相対的に逆方向へ移動する（図９（ｂ））。このとき、接続部５１の突起部５４は、連結部４１の規制部４２の上端に当接するため、補助図柄表示体５０の移動が阻止される。
【００６９】
図１０は右リールに配置された補助図柄表示体の移動前後の状態を示す部分説明図であり、（ａ）は移動前の補助図柄表示体の説明図、（ｂ）は移動後の補助図柄表示体の説明図である。例えば、図１０（ａ）に示すように、右リール１４が停止しているときは、右リール１４の各窓１４ｃの内側において補助図柄表示体５０の第２補助図柄Ｚ３（リプレイ図柄、ベル図柄）が表示されている。そして、右リール１４が回転を開始すると、図１０（ｂ）に示すように、補助図柄表示体５０が慣性力によって右リール１４の回転方向と相対的に逆方向へ移動し、右リール１４の各窓１４ｃの内側に補助図柄表示体５０の第１補助図柄Ｚ２（セブン図柄）が露出する。
【００７０】
つまり、図示のように、特定の図柄Ｚ１であるセブン図柄が回転方向に３つ連続して表示された状態になる。
以降、右リール１４の回転中は、補助図柄表示体５０の慣性力が維持されるため、補助図柄表示体５０が移動した状態が維持され、回転方向にセブン図柄が３つ連続して表示された状態が持続する。
また、図１１に示すように、左リール１２については、２番目のセブン図柄および５番目のベル図柄の裏面に隠れていた２つのセブン図柄が、各窓１２ｃから露出するため、セブン図柄が４つ連続して表示された状態になる。図１２（ａ）では、左表示窓１２ａを一番早く通過する先頭のセブン図柄は既に通過した後であり、図示されていない。
【００７１】
中リール１３については、１２番目のセブン図柄および１４番目のＢＡＲ図柄の裏面に隠れていた２つのセブン図柄が、各窓１３ｃから露出するため、セブン図柄が３つ連続して表示された状態になる（図１２（ａ））。
従って、図１２（ａ）に示すように、各リールにおいて複数のセブン図柄が連続して通過し、遊技者は、連続して通過するセブン図柄を、回転方向に一定の長さを有する１固まりの模様として捉えることができるため、目押し操作のタイミングを採り易くなる。
【００７２】
そして、左停止スイッチ２２、中停止スイッチ２３および右停止スイッチ２４を押すと、その押した停止スイッチに対応するリールの回転が停止する。図１２（ｂ）に示す例では、左リール１２の裏面側に配置されていた補助図柄表示体５０が自重によって下降し、左リール１２の各窓１２ｃに露出していた各第１補助図柄Ｚ１（セブン図柄）が、それぞれ左リール１２の裏面に隠れ、各第２補助図柄Ｚ３（スイカ図柄、リプレイ図柄）がそれぞれ窓１２ｃに露出した状態になっており、回転開始前の状態に復帰している。
【００７３】
中リール１３では、補助図柄表示体５０の下降により、補助図柄表示体５０の第１補助図柄Ｚ２（セブン図柄）は、中リール１３の裏面に隠れ、各第２補助図柄Ｚ３（チェリー図柄、リプレイ図柄）がそれぞれ窓１３ｃに露出した状態になっており、回転開始前の状態に復帰している。
右リール１４では、補助図柄表示体５０の下降により、補助図柄表示体５０の第１補助図柄Ｚ２（セブン図柄）は、右リール１４の裏面に隠れ、各第２補助図柄Ｚ３（リプレイ図柄、ベル図柄）がそれぞれ窓１４ｃに露出した状態になっており、回転開始前の状態に復帰している。
【００７４】
［第２実施形態の効果］
（１）リールが回転を始めると、リールの外周面のうち、特定の図柄Ｚ１と隣接する部分に開口形成された窓の内側に配置されている補助図柄表示体５０が慣性力によってリールの回転方向と相対的に逆方向へ移動し、第１補助図柄Ｚ２が窓の内側に表示された位置で停止し、その状態を維持してリールが回転する。
つまり、リールが回転しているときは、リールの外周面に表示された特定の図柄Ｚ１と、その特定の図柄Ｚ１と同一の図柄である第１補助図柄Ｚ２とが連続して表示され、見かけ上、特定の図柄Ｚ１の表示面積が増加した状態となる。換言すると、連続して表示された特定の図柄Ｚ１を、回転方向に一定の長さを有する１固まりの模様として捉えることができる状態となる。
従って、特定の図柄Ｚ１が他の図柄Ｚから非常に目立った状態となるため、遊技者は、目押し操作のタイミングを採り易くなる。
【００７５】
（２）リールの回転が停止すると、補助図柄表示体５０はリールの窓の内側に第２補助図柄Ｚ３を表示する位置に戻るため、リールの外周面に表示されている図柄の配置位置や個数が減少することがない。
【００７６】
（３）補助図柄表示体５０はリールの回転開始時に慣性力によって移動するため、モータなど、移動のための駆動源が不要となるので、回胴式遊技機の製造コストを低減することができる。
【００７７】
（４）リールの回転中は、複数の窓に第１補助図柄Ｚ２がそれぞれ表示されるため、より一層目押し操作のタイミングを採り易くなる。例えば、窓がｎ個（ｎ≧２）開口形成されている場合は、各窓に表示される第１補助図柄Ｚ２と、リールの外周面において窓の隣に表示されているｍ個の特定の図柄Ｚ１とを合わせて計（ｍ＋ｎ）個の特定の図柄Ｚ１が連続して表示された状態となるため、２つの特定の図柄Ｚ１が連続して表示される場合よりもさらに特定の図柄Ｚ１が目立つので、より一層、目押し操作のタイミングを採り易い。
【００７８】
（５）第２実施形態の回胴式遊技機は、リールの外周面および補助図柄表示体の構成以外は、第１実施形態の回胴式遊技機１０と同じ構成であるため、第１実施形態の効果（４）、（５）および（６）を奏することができる。
【００７９】
＜第３実施形態＞
次に、この発明の第３実施形態について図を参照して説明する。
この実施形態の回胴式遊技機は、１つのリールに対して補助図柄表示体が２個配置されていることを特徴とする。なお、この実施形態の回胴式遊技機は、補助図柄表示体の個数および取付構造以外は、第１実施形態の回胴式遊技機１０と同じ構成であるため、その同じ構成の説明は省略し、同じ構成については同じ符号を用いて説明する。
【００８０】
図１３は、右リールの主要構造を示す分解斜視図である。図１４は、右リールの左側面の一部を示す説明図であり、（ａ）は停止している右リールの説明図、（ｂ）は回転している右リールの説明図、（ｃ）は右リールの回転が停止したときの説明図である。図１５は、各リールと各補助図柄表示体との位置関係を示す説明図である。図１６は、右リールに配置された補助図柄表示体が振動している様子を示す説明図である。
【００８１】
［リールの主要構造および補助図柄表示体の取付構造］
各リールの構造および補助図柄表示体の取付構造は基本的に同じであるため、ここでは右リールの主要構造および補助図柄表示体の取付構造を代表に説明する。
図１３に示すように、右リール１４の外周面の上方には、補助図柄表示体３０が２個配置されている。回動中心部３３の両側から接続部３１，３２がそれぞれ延びており、各接続部３１，３２の先端には補助図柄表示体３０が取付けられている。回動中心部３３の上下から取付部材３５がそれぞれ延びており、各取付部材３５の左側面からは、バネ６０を係止するための係止部材３６が突出形成されている。
【００８２】
この実施形態では、バネ６０は、バネ性部材をコイル状に巻回してなるコイルバネであり、環状の基部６１と、この基部６１の両端から上下に延びた線状の端部６２，６３とから構成される。係止部材３６は各取付部材３５に２つずつ形成されており、隣接する係止部材３６間には、バネ６０の端部６２，６３を挟持するための間隙が形成されている。この実施形態では、係止部材３６は棒状に形成されており、隣接する係止部材３６の周面間でバネ６０の端部６２，６３を挟持する構造になっている。
【００８３】
図１４に示すように、バネ６０の基部６１には軸受４５が挿通されており、バネ６０の上方の端部６２は上方の係止部材３６間に、下方の端部６３は下方の係止部材３６間にそれぞれ係止されている。
図１５に示すように、右リール１４が停止している状態において、一方の補助図柄表示体３０は、右リール１４における２番目の特定の図柄Ｚ１を、他方の補助図柄表示体３０は、１２番目の特定の図柄Ｚ１をそれぞれ覆う位置に配置されている。左リール１２および中リール１３にそれぞれ２つずつ配置されている各補助図柄表示体３０も各リールにおける２番目および１２番目の特定の図柄Ｚ１をそれぞれ覆う位置に配置されている。
【００８４】
［補助図柄表示体の動作］
図１４（ａ）に示すように、右リール１４が停止しているときは、各補助図柄表示体３０は、それぞれ右リール１４の特定の図柄Ｚ１を覆う位置に配置されており、その状態は、バネ６０の弾性力によって維持されている。そして、右リール１４が回転を開始すると、右表示窓１４ａに表示されていた補助図柄表示体３０は、自身の慣性力によって右リール１４の回転方向と相対的に逆方向（上方）に、バネ６０の弾性力に抗して移動し、右リール１４の１番目のチェリー図柄を覆い、補助図柄Ｚ２（セブン図柄）および特定の図柄Ｚ１（セブン図柄）が連続して表示される。
【００８５】
一方、右表示窓１４ａと対向する後方に配置されていた補助図柄表示体３０は、自身の慣性力によって右リール１４の回転方向と逆方向（下方）に移動し、右リール１４の１１番目のリプレイ図柄を覆い、補助図柄（セブン図柄）および特定の図柄Ｚ１（セブン図柄）が連続して表示される。つまり、右リール１４の外周面には、セブン図柄が２つ連続して表示された箇所が２箇所形成される。
【００８６】
また、左リール１２に配置されていた各補助図柄表示体３０もそれぞれ左リール１２の回転方向と相対的に逆方向に、バネ６０の弾性力に抗して移動し、１番目のスイカ図柄および１１番目のリプレイ図柄をそれぞれ覆い、セブン図柄が３つ連続して表示された箇所と、２つ連続して表示された箇所とが１箇所ずつ形成される。
中リール１３に配置されていた各補助図柄表示体３０もそれぞれ中リール１３の回転方向と相対的に逆方向に、バネ６０の弾性力に抗して移動し、１番目のベル図柄および１１番目のチェリー図柄をそれぞれ覆い、セブン図柄が２つ連続して表示された箇所が２箇所形成される。
【００８７】
そして、各停止スイッチが押されると、その押された停止スイッチに対応するリールの回転が停止する。右リール１４の回転が停止すると、図１４（ｃ）に示すように、右リール１４と共に回転していた補助図柄表示体３０には慣性力が作用するため、補助図柄表示体３０はバネ６０の弾性力に抗して下方へ移動する。すると今度は、バネ６０の復元力によって補助図柄表示体３０は上方へ移動し、バネ６０の端部６２，６３が撓み、バネ６０に復元力が発生し、補助図柄表示体３０は再び下方へ移動する。このように、右リール１４の回転が停止したときに、補助図柄表示体３０は上下に振動し、最終的には、バネ６０の弾性力によって、リール回転前の位置に復帰する。
【００８８】
図１６に示す例において、右表示窓１４ａには、１番目のチェリー図柄、２番目のセブン図柄および３番目のリプレイ図柄の上を補助図柄表示体３０が往復動している様子が表示されている。図中において上下方向を指す矢印は、補助図柄表示体３０の移動方向を示す。つまり、右リール１４の回転が停止すると、補助図柄表示体３０が右リール１４のセブン図柄Ｚ１の上を上下に振動する。
【００８９】
このため、補助図柄表示体３０が１番目のチェリーの上へ移動したときは、１番目および２番目にセブン図柄が連続表示され、２番目のセブン図柄に重なったときは２番目のセブン図柄のみが表示され、３番目のリプレイ図柄の上へ移動したときは、２番目および３番目にセブン図柄が連続表示される。
つまり、補助図柄表示体３０の上下の振動により、セブン図柄が２個に増加したり、１個に減少したりするため、従来にはなかった面白い演出をすることができる。
【００９０】
また、図１６に示す例は、中断の入賞ラインにセブン図柄が揃い、ビッグボーナスが発生する場合を示すが、このように入賞役が成立する場合に、その入賞役を構成する図柄と同じ図柄が表示された補助図柄表示体３０が、リール上で入賞役を構成する図柄の上を上下に往復動すると、その入賞役を構成する図柄を引き立たせることができる。
左リール１２および中リール１３が停止したときにも、同様に各補助図柄表示体３０の振動による演出が行われる。
【００９１】
［第３実施形態の効果］
（１）補助図柄表示体３０を２個備えるため、リールが１回転する間に、目押し操作のタイミングを採り易い機会が２回訪れるため、より一層目押し操作のタイミングを採り易くなる。
【００９２】
（２）リールの回転が停止したときは、バネ６０によって各補助図柄表示体３０を移動前の位置に復帰させることができるため、復帰させるための動力源などが不要となるので、回胴式遊技機の製造コストを低減することができる。また、電気的故障も発生しない。
【００９３】
（３）各補助図柄表示体３０は、リールの回転停止時に、慣性力およびバネのバネ力によってリールの回転方向と相対的に逆方向への移動および回転方向への移動を行った後に移動前の位置へ復帰する演出を行うことができるため、回転が停止したリールの停止図柄を目立たせることができる。
【００９４】
（４）第３実施形態の回胴式遊技機は、補助図柄表示体の個数およびそれらの取付構造と、補助図柄表示体の復元手段以外は、第１実施形態の回胴式遊技機１０と同じ構成であるため、第１実施形態の効果（４）および（６）を奏することができる。
【００９５】
［他の実施形態］
（１）第３実施形態では、リールが停止したときに、バネ６０のバネ力を用いて各補助図柄表示体３０を移動前の位置に復帰させる構成を説明したが、接続部３１，３２のうち一方に錘を取付け、その錘の自重によって各補助図柄表示体３０を移動前の位置に復帰させる構成でもよい。この構成を用いる場合は、錘が取付けられている側の補助図柄表示体３０が表示窓から見える位置に停止したときに、突起部３４が規制部４２の下端に当接し、リール上の特定の図柄Ｚ１を覆う状態となるように各補助図柄表示体３０を配置する。
【００９６】
この構成を備えた回胴式遊技機を使用すれば、次の（イ）および（ロ）の効果を奏することができる。（イ）補助図柄表示体を２個備えるため、リールが１回転する間に、目押し操作のタイミングを採り易い機会が２回訪れるため、より一層目押し操作のタイミングを採り易くなる。（ロ）また、リールの回転が停止したときは、錘によって各補助図柄表示体３０を移動をする前の位置に復帰させることができるため、復帰させるための機械的構造や動力源などが不要となるので、回胴式遊技機の製造コストを低減することができる。また、機械的故障や電気的故障も発生しない。さらに、第１実施形態の効果（１）〜（４）および（６）を奏することもできる。なお、この回胴式遊技機が請求項８の回胴式遊技機に対応する。
【００９７】
（２）第１および第２実施形態では、補助図柄表示体３０，５０をその自重によって移動前の位置に復帰させる構成を説明したが、第３実施形態にて説明したバネ６０を使用して復帰させる構成でもよい。この構成を用いた場合は、第１および第２実施形態の効果に加えて、第３実施形態の効果（２）および（３）を奏することもできる。
また、上記他の実施形態（１）にて説明した錘を使用して復帰させる構成でもよい。この構成を用いた場合は、第１および第２実施形態の効果に加えて、上記他の実施形態（１）の効果（ロ）を奏することもできる。
【００９８】
（３）補助図柄表示体３０，５０を、リールと同じような円筒形に形成することもできる。この場合、自重によって補助図柄表示部分を移動前の位置に復帰させるために、補助図柄が表示される部分を他の部分よりも重く形成したり、錘を取付けたりする。また、前述のバネ６０を装着して補助図柄表示部分を移動前の位置に復帰させることもできる。また、補助図柄表示体を半円筒形、側面視扇形に形成してもよい。
【００９９】
（４）補助図柄表示体３０，５０の回動中心となる回動中心部３３，５３をリールの回転軸４３から外れた位置に回動可能に設ける構成でもよい。例えば、回転軸４３から外れた箇所に、補助図柄表示体用の回動軸を突出形成し、その回動軸を回動中心部に挿通する。
つまり、リールが回転を開始するときに、補助図柄表示体が自身の慣性力によってリールの回転方向と逆方向へ移動し、リールの停止時に移動前の位置に復帰できる構成であれば、どのような構成でもよい。
【０１００】
（５）第１および第３実施形態では、補助図柄Ｚ２を１つのみ表示した補助図柄表示体３０を説明したが、複数の補助図柄Ｚ２を表示した補助図柄表示体３０を用いることもできる。この構成を用いれば、リールの回転中により多くの特定の図柄Ｚ１が連続して表示されるため、より一層目押し操作のタイミングを採り易くなる。また、第３実施形態において、補助図柄表示体３０毎に表示する補助図柄Ｚ２の数を異ならせることもできる。
【０１０１】
（６）第２実施形態において補助図柄表示体５０を２個配置する構成を用いることもできる。この場合、各補助図柄表示体５０の取付構造として第３実施形態の取付構造を用いることができる。この場合、補助図柄表示体５０毎に表示する第１補助図柄Ｚ２および第２補助図柄Ｚ３の数を異ならせることもできる。
【０１０２】
（７）補助図柄表示体３０，５０を３個以上配置することもできる。この構成を用いる場合、各補助図柄表示体と回動中心部とを接続する接続部は、補助図柄表示体の数に応じて増加すればよい。また、アーム状の接続部に代えて側面視扇状または円板状の接続部を用いてもよい。
【０１０３】
（８）補助図柄表示体３０，５０を２重または３重以上重ねて配置することもできる。この場合、各補助図柄表示体は共通の回動中心部を備えており、接続部の長さが補助図柄表示体毎に異なる構成になる。
【０１０４】
（９）前述の第２実施形態では、リールの外周面において特定の図柄Ｚ１を挟んで窓をそれぞれ１つずつ開口形成した構成を説明したが、窓を複数ずつ開口形成し、各窓に対応した第１補助図柄Ｚ２および第２補助図柄Ｚ３を補助図柄表示体に表示し、リールの回転中は各第１補助図柄Ｚ２が各窓に表示されるように構成することもできる。また、１つの窓に１つの補助図柄を表示するのではなく、複数の第１補助図柄Ｚ２または複数の第２補助図柄を一度に表示可能な大きさの窓を形成することもできる。
この構成を使用すれば、リールの回転中により多くの特定の図柄Ｚ１を連続表示できるため、特定の図柄Ｚ１が他の図柄Ｚからより一層目立った状態となるので、遊技者は、一段と目押し操作のタイミングを採り易くなる。
【０１０５】
（１０）特定の図柄Ｚ１に隣接する位置から回転方向または逆方向へ窓を複数連続して開口形成し、各窓に対応した第１補助図柄Ｚ２および第２補助図柄Ｚ３を補助図柄表示体に表示し、リールの回転中は各第１補助図柄Ｚ２が各窓に表示されるように構成することもできる。また、１つの窓に１つの補助図柄を表示するのではなく、複数の第１補助図柄Ｚ２または複数の第２補助図柄を一度に表示可能な大きさの窓を形成することもできる。
この構成を使用すれば、リールの回転中により多くの特定の図柄Ｚ１を連続表示できるため、特定の図柄Ｚ１が他の図柄Ｚからより一層目立った状態となるので、遊技者は、一段と目押し操作のタイミングを採り易くなる。
【０１０６】
（１１）前述の各実施形態では、３個のリールを備えた回胴式遊技機を代表にして説明したが、４個以上のリールを備えた回胴式遊技機にも本発明を適用することができ、この場合も本発明の効果を奏することができる。
【０１０７】
（１２）前述の各実施形態において記載した各構成、機能および数値は、一例であり、他の構成、機能および数値に変更することができる。
【０１０８】
（１３）各リールに表示された図柄の種類、図柄の数および配列は、図３に示したものに限定されない。
【０１０９】
（１４）各実施形態では、メダルを媒体として遊技を行う回胴式遊技機について説明したが、パチンコ玉またはそれに類似する遊技球を媒体として遊技を行う回胴式遊技機にも本願発明を適用できることは勿論である。
【図面の簡単な説明】
【０１１０】
【図１】第１実施形態の回胴式遊技機の外観を示す斜視図である。
【図２】各リールの取付構造を示す説明図である。
【図３】右リールの主要構造を示す分解斜視図である。
【図４】右リールの左側面の一部を示す説明図であり、（ａ）は停止している右リールの説明図、（ｂ）は回転している右リールの説明図である。
【図５】右リールに配置された補助図柄表示体の移動前後の状態を示す部分説明図であり、（ａ）は移動前の補助図柄表示体の説明図、（ｂ）は移動後の補助図柄表示体の説明図である。
【図６】各リールの外周面に表示された図柄の説明図である。
【図７】各表示窓から見える図柄の表示態様を示す説明図であり、（ａ）は回転中の表示態様を示す説明図、（ｂ）は停止時の表示態様を示す説明図である。
【図８】第２実施形態における右リールの主要構造を示す分解斜視図である。
【図９】右リールの左側面の一部を示す説明図であり、（ａ）は停止している右リールの説明図、（ｂ）は回転している右リールの説明図である。
【図１０】右リールの窓に表示された補助図柄の変化を説明するための説明図であり、（ａ）は右リール停止時における補助図柄の説明図、（ｂ）は右リール回転時における補助図柄の説明図である。
【図１１】各リールと補助図柄表示体との位置関係を示す説明図である。
【図１２】各表示窓から見える図柄の表示態様を示す説明図であり、（ａ）は回転中の表示態様を示す説明図、（ｂ）は停止時の表示態様を示す説明図である。
【図１３】第３実施形態における右リールの主要構造を示す分解斜視図である。
【図１４】右リールの左側面の一部を示す説明図であり、（ａ）は停止している右リールの説明図、（ｂ）は回転している右リールの説明図、（ｃ）は右リールの回転が停止したときの説明図である。
【図１５】各リールと各補助図柄表示体との位置関係を示す説明図である。
【図１６】右リールに配置された補助図柄表示体が振動している様子を示す説明図である。
【符号の説明】
【０１１１】
１０・・ 回胴式遊技機、１２・・左リール、１３・・中リール、１４・・右リール、
１２ａ・・左表示窓、１３ａ・・中表示窓、１４ａ・・右表示窓、
２５・・始動レバー（回転開始手段）、３０，５０・・補助図柄表示体（払出手段）、
３１・・接続部（支持手段）、３３・・回動中心部（支持手段）、
３３ａ・・挿通孔（支持手段）、３４・・突起部（規制手段）、
４２・・規制部（規制手段）、７０・・ステッピングモータ、Ｚ１・・特定の図柄、
Ｚ２・・補助図柄（第１補助図柄）、Ｚ３・・第２補助図柄。
【図１】
2007105239.tif 000003
【図２】
2007105239.tif 000004
【図３】
2007105239.tif 000005
【図４】
2007105239.tif 000006
【図５】
2007105239.tif 000007
【図６】
2007105239.tif 000008
【図７】
2007105239.tif 000009
【図８】
2007105239.tif 000010
【図９】
2007105239.tif 000011
【図１０】
2007105239.tif 000012
【図１１】
2007105239.tif 000013
【図１２】
2007105239.tif 000014
【図１３】
2007105239.tif 000015
【図１４】
2007105239.tif 000016
【図１５】
2007105239.tif 000017
【図１６】
2007105239.tif 000018